(57)【特許請求の範囲】
【請求項１】
フェエライトケースおよびフェライト板を有し、該フェライト板が前記フェライトケース内に固定されて前記フェライトケースのフェライトにより囲まれていない部分を塞ぎ、前記フェライトケースおよび前記フェライト板がリアクトルおよびトランスのいずれかのフェライトコアを兼ね、前記フェエライトケースおよび前記フェライトケース内に固定した前記フェライト板の内部にリアクトル捲線、端子および電気部品を搭載し導体配線とともに回路を形成したプリント基板を内蔵する構成としたことを特徴とするＤＣ−ＤＣコンバータ。
【請求項２】
請求項１記載のＤＣ−ＤＣコンバータにおいて、前記フェライトケースの内側の前記フェライト板に対抗する部分に突起部を有し、この突起部をリアクトルおよびトランスのいずれかの捲線に挿入し、前記フェライト板は端子用の孔を有することを特徴とするＤＣ−ＤＣコンバータ。
【請求項３】
請求項１記載のＤＣ−ＤＣコンバータにおいて、前記プリント基板の厚さまたは前記プリント基板の厚さに搭載した部品の厚さを加えた厚さが前記リアクトルおよびトランスのいずれかのギャップとなっていて、前記プリント基板の厚さまたは前記プリント基板に搭載した部品の厚さを適切に選定することにより、前記リアクトルおよびトランスのいずれかのギャップを調整し適切なリアクトル特性またはトランス特性を得ることを特徴とするＤＣ−ＤＣコンバータ。
【発明の詳細な説明】
【０００１】
【発明の属する技術分野】
この発明は、電子機器に使用するＤＣ−ＤＣコンバータに関する。
【０００２】
【従来の技術】
図６は、従来のＤＣ−ＤＣコンバータの例を示す一部断面を含む斜視図である。図６において、４はプリント基板、５は電気部品、７は端子、８はリアクトル、９はシールドケースである。プリント基板４上に回路を形成し、その一部分としてリアクトル８またはトランスを搭載している。リアクトル８またはトランスによる輻射ノイズを低減するために、回路全体をシールドケース９に内蔵している。
【０００３】
図７は、従来のＤＣ−ＤＣコンバータの別の例を示す縦断面図である。図７において、１はフェライトケース、３はリアクトル捲線、１０はフェライト基板であり、その他の構成要素は図６と同じであり同じ符号が付してある。フェライト上にパターンを印刷したフェライト基板１０上に回路を形成し、内部にリアクトルを収納していた。
【０００４】
【発明が解決しようとする課題】
従来実施例の図６の場合、シールドケースのシールド効果が不十分な場合があり、プリント基板上に搭載されたリアクトルまたはトランスによる輻射ノイズにより、他の回路に悪影響を及ぼす場合があった。
また図７の場合、フェライト上にパターンを印刷したフェライト基板は大量生産が難しく、高価となっていた。
【０００５】
また図７の場合、リアクトルのギャップがフェライトケース内部突起部とフェライト基板間で固定されていたために、適切なリアクトル特性が得られない場合があった。
本発明の目的は、リアクトルまたはトランスによる輻射ノイズを低減した安価なＤＣ−ＤＣコンバータを提供することにある。
【０００６】
【課題を解決するための手段】
上記の課題を解決するために、本発明においては、フェエライトケースおよびフェライトケース内に固定したフェライト板を有し、フェライト板が前記フェライトケース内に固定されてフェライトケースのフェライトにより囲まれていない部分を塞ぎ、フェライトケースおよびフェライト板がリアクトルおよびトランスのいずれかのフェライトコアを兼ね、フェエライトケースおよびフェライトケース内に固定したフェライト板の内部にリアクトル捲線、端子および電気部品を搭載し導体配線とともに回路を形成したプリント基板を内蔵する構成とした。
【０００７】
また、フェライトケースの内側のフェライト板に対抗する部分に突起部を有し、この突起部をリアクトルおよびトランスのいずれかの捲線に挿入し、フェライト板は端子用の孔を有する構成とした。
【０００８】
また、プリント基板の厚さまたはプリント基板の厚さに搭載した部品の厚さを加えた厚さががリアクトルおよびトランスのいずれかのギャップとなっていて、プリント基板の厚さまたは前記プリント基板に搭載した部品の厚さを適切に選定することにより、リアクトルまたはトランスのギャップを調整し適切なリアクトル特性（例えば、インダクタンス値、直流重畳特性）またはトランス特性（例えば、インダクタンス値、直流重畳特性）を得る構成とした。
【０００９】
【発明の実施の形態】
図１は本発明のＤＣ−ＤＣコンバータの第１の実施例を示す一部断面を含む斜視図であり、図２は図１の縦断面図である。図１および図２において、２はボビン、４はプリント基板、６はフェライト板であり、その他の構成要素は図７と同じであり同じ符号を付してある。なお、図２では、ボビン２は省略してある。
【００１０】
プリント基板４は、例えばガラスエポキシ樹脂、紙フェノール樹脂等を用いる。プリント基板４の片面あるいは両面に電気部品５を半田付けする。ボビン２に圧入し固定した端子７にリアクトル捲線３の端部を半田付けし、このリアクトルをプリント基板４に搭載し、端子７とプリント基板４上の導体配線とを半田付けする。ボビン２の上面に接着剤を塗布し、ボビン２の上面をフェライトケース１内に挿入し接着する。端子７用の孔を有するフェライト板６に接着剤を塗布し、このフェライト板６を端子７を端子用孔に通すようにしてフェライトケース１内に挿入し、プリント基板４、電気部品５、フェライトケース１などと接着させ固定する。
【００１１】
プリント基板４上にリアクトル捲線３、端子７および電気部品５を搭載し導体配線とともに回路を形成し、リアクトルのフェライトコアを兼ねたフェライトケース１とフェライト板６の内部に収納することにより、回路の周囲を磁性体でシールドすることになるので、ノイズの輻射を大幅に低減することができる。
【００１２】
リアクトルのフェライトコアを兼ねたフェライトケースとすることで、組立工程の減少、コストの低減を図ることができる。
また、トランスを用いる場合、そのフェライトコアを兼ねたフェライトケースを用い、リアクトルの場合と同様にすることができる。
【００１３】
図３は、本発明のＤＣ−ＤＣコンバータの第２の実施例を示す縦断面図である。図３において、構成要素は図２と同じであり同じ符号を付してある。プリント基板４の厚さがリアクトルのギャップとなっており、プリント基板４の厚さを適切に選定することによりリアクトルのギャップの微調整が可能となり、適切なリアクトル特性（例えば、インダクタンス値、直流重畳特性）を得ることが可能となる。
【００１４】
図４および図５は、それぞれ本発明のＤＣ−ＤＣコンバータの第３および第４の実施例を示す縦断面図である。図４および図５において、構成要素は図２と同じであり同じ符号を付してある。この場合には、プリント基板４の厚さに電気部品５の厚さを加えた厚さがリアクトルのギャップとなっており、プリント基板４の厚さおよび電気部品５の厚さを適切に選定することによりリアクトルのギャップの微調整が可能となり、適切なリアクトル特性を得ることができる。
【００１５】
【発明の効果】
電気部品を搭載するのにフェライト基板ではなくプリント基板を用い、フェライトケースおよびフェライト板の内部に挿入することでシールドし輻射ノイズを低減することができる。また、パターン印刷したフェライト基板を用いていないので大量生産が可能となり、低コスト化を実現することができる。
【００１６】
また、プリント基板の厚さおよび電気部品の厚さを適切に選定することによりリアクトルのギャップの微調整が可能となり、リアクトル特性の選択の幅が広がることにより、従来より更に高性能のＤＣ−ＤＣコンバータの生産が可能となる。
【図面の簡単な説明】
【図１】この発明の第１の実施例を示す一部断面を含む斜視図。
【図２】図１の縦断面図。
【図３】この発明の第２の実施例を示す縦断面図。
【図４】この発明の第３の実施例を示す縦断面図。
【図５】この発明の第４の実施例を示す縦断面図。
【図６】従来の例を示す一部断面を含む斜視図。
【図７】従来の別の例を示す縦断面図。
【符号の説明】
１…フェライトケース、２…ボビン、３…リアクトル捲線、４…プリント基板、５…電気部品、６…フェライト板、７…端子。
【図１】
0003570263.tif 000002
【図２】
0003570263.tif 000003
【図３】
0003570263.tif 000004
【図４】
0003570263.tif 000005
【図５】
0003570263.tif 000006
【図６】
0003570263.tif 000007
【図７】
0003570263.tif 000008